(57)【要約】【課題】  バリアフリーを達成し且つ構成部品の数を削減する。【解決手段】  パレット１は、左右幅方向の中央部に、鋼板を上方に折り曲げて形成した中央上向き突出部２を設け、その左右に、車両Ｃの車輪を乗り入れさせるための車輪乗込面３ａ，３ｂを設ける。各車輪乗込面３ａ，３ｂの外側端縁部には、鋼板を下方に折り曲げて形成した側部下向き突出部４ａ，４ｂを設ける。一方の側部下向き突出部４ａに設けた切り欠きには、ドッグ６を配置して、車輪乗込面３ａの下面に固定する。パレット１は、外側に上向きの突出部分が無い各車輪乗込面３ａ，３ｂを、駐車装置の入出庫口のプラットホーム１２と段差のない状態で配置させることでバリアフリーを達成させる。鋼板を折り曲げて形成した中央上向き突出部２及び各側部下向き突出部４ａ，４ｂと、ドッグ６によりパレット１の強度を確保させて、他の強度部材やパレット横送り用の別部材は不要とさせる。【選択図】図２
2014141793.tif 000002
【特許請求の範囲】
【請求項１】
左右幅方向の中央部に、鋼板を上方に折り曲げて上向きに突出する中央上向き突出部を前後方向に延びるように備え、
且つ上記中央上向き突出部の左右両側に、車両の車輪を乗り入れさせるための左右一対の車輪乗込面を前後方向の全長に亘り備え、
上記各車輪乗込面の左右方向外側の各端縁部に、鋼板を下方に折り曲げて下向きに突出させた側部下向き突出部をそれぞれ備え、
更に、一方又は双方の上記側部下向き突出部の一部に切り欠きを設けると共に、該切り欠きに、前後方向に延び且つ下端側が開放された溝形構造としてあるドッグを配置して、該ドッグを、上記車輪乗込面の下面に固定して強度部材として機能させるようにした構成
を有することを特徴とする駐車装置のパレット。
【請求項２】
側部下向き突出部の切り欠きの一部にドッグを配置し、少なくとも上記側部下向き突出部の切り欠きにおけるドッグが配置されていない部分のパレット中央寄りとなる位置に、補強部材を配置して、該補強部材を車輪乗込面の下面に取り付けるようにした請求項１記載の駐車装置のパレット。
【発明の詳細な説明】
【技術分野】
【０００１】
本発明は、エレベータパーキング等の機械式駐車装置で車両を搭載して移動させる駐車装置のパレットに関するものである。
【背景技術】
【０００２】
機械式駐車装置の１つとして、エレベータパーキングがある。かかるエレベータパーキングでは、一般に、車両は、入庫位置でパレットに搭載させるようにしてあり、その後、該車両を入庫位置から格納位置まで移動させる場合、及び、該格納位置から出庫位置まで移動させるときには、上記パレットごと移動させるようにしてある。
【０００３】
上記駐車装置用のパレットとしては、折り曲げ式のパレットが広く用いられている。
【０００４】
上記折り曲げ式のパレットは、鋼板製としてあって、車両の平面形状に対応して、前後方向が長辺となり且つ左右幅方向が短辺となる矩形の平面形状を有している。
【０００５】
更に、上記折り曲げ式のパレットは、左右幅方向の中央部に、鋼板を上方に折り曲げて断面形状が台形状や矩形状となるようにした中央上向き突出部が、前後方向に延びるように設けてある。且つ、該パレットにおける左右両端縁部には、鋼板を上方に折り曲げて断面形状が鉤形になるように屈曲させた側部上向き突出部が、それぞれ前後方向に延びるように設けてある。
【０００６】
上記中央上向き突出部と、左右両側の各側部上向き突出部との間には、パレットに搭載する車両の車輪を乗り入れさせるための車輪乗込面が、前後方向の全長に亘り設けてある。
【０００７】
かかる構成としてある折り曲げ式のパレットは、上記中央部と両側部の各上向き突出部にて上記車輪乗込面より鋼板が立ち上がる部分がウェブとなり、上記車輪乗込面と、上記中央及び各側部の上向き突出部における水平部分が、異なる高さ位置に配置されたフランジとなる立体構造を備えることで、上記車輪乗込面に搭載させる車両の重量に耐え得る強度を得るようにしてある。
【０００８】
ところで、上記折り曲げ式のパレットは、左右両端縁部に、上記各側部上向き突出部が設けてあることから、たとえば、車椅子では、この側部上向き突出部によって生じる段差が移動の邪魔になるために、パレットに搭載された車両に対する乗り降りが困難になる。
【０００９】
そこで、従来、一対の車輪乗込面の間に中央立ち上がり部が上方に突設され、少なくとも左右いずれか一方の側縁部に、パレットの前後方向（長手方向）に間隔をあけて上方に突出する２つの上向きの強度部材を設け、且つ上記２つの上向きの強度部材の間の車輪乗込面には、下方に突出する下向きの強度部材を設けてなる構成とした駐車装置用のパレットが提案されている（たとえば、特許文献１参照）。
【００１０】
かかる構成のパレットによれば、上記前後２つの上向きの強度部材間の車輪乗込面には、上方に突出する障害物が無いため、機械式駐車装置における入出庫位置のプラットホーム（デッキ）と高さレベルの差をなくすことができて、車椅子での移動に支障が生じないバリアフリーを達成できるとされている。
【先行技術文献】
【特許文献】
【００１１】
【特許文献１】特開２００２−３２２８２４号公報
【発明の概要】
【発明が解決しようとする課題】
【００１２】
ところが、上記特許文献１に示された形式のパレットでは、少なくとも一方の側縁部に設ける２つの上向きの強度部材、及び、下向きの強度部材を、それぞれ平断面の角パイプにより構成するようにしてあるため、これらの強度部材は、パレットにおける中央立ち上がり部と車輪乗込面を形成している鋼板に対して別途取り付ける必要がある。
【００１３】
しかも、上記各強度部材は、パレットの強度を保持する以外の機能は全く備えていないことから、たとえば、パレットを横送りするための手段は、上記各強度部材とは別に装備する必要がある。
【００１４】
そのため、上記特許文献１に示された形式のパレットは、構成部品の点数が増加すると共に、製造時における部材同士の溶接作業が多くなり、製造に要する手間及び時間が多くなるという問題がある。又、該パレットは、自重が大きくなってしまう。
【００１５】
そこで、本発明は、バリアフリーを達成することができるパレットであって、且つ、構成部品の点数の削減化を図ることができて、製造時における溶接作業の削減化を図ることができ、製造に要する手間及び時間を削減することができると共に、自重の軽量化を図ることができる駐車装置のパレットを提供しようとするものである。
【課題を解決するための手段】
【００１６】
本発明は、上記課題を解決するために、請求項１に対応して、左右幅方向の中央部に、鋼板を上方に折り曲げて上向きに突出する中央上向き突出部を前後方向に延びるように備え、且つ上記中央上向き突出部の左右両側に、車両の車輪を乗り入れさせるための左右一対の車輪乗込面を前後方向の全長に亘り備え、上記各車輪乗込面の左右方向外側の各端縁部に、鋼板を下方に折り曲げて下向きに突出させた側部下向き突出部をそれぞれ備え、更に、一方又は双方の上記側部下向き突出部の一部に切り欠きを設けると共に、該切り欠きに、前後方向に延び且つ下端側が開放された溝形構造としてあるドッグを配置して、該ドッグを、上記車輪乗込面の下面に固定して強度部材として機能させるようにした構成を有する駐車装置のパレットとする。
【００１７】
又、請求項２に対応して、上記構成において、側部下向き突出部の切り欠きの一部にドッグを配置し、少なくとも上記側部下向き突出部の切り欠きにおけるドッグが配置されていない部分のパレット中央寄りとなる位置に、補強部材を配置して、該補強部材を車輪乗込面の下面に取り付けるようにした構成とする。
【発明の効果】
【００１８】
本発明の駐車装置のパレットによれば、以下のような優れた効果を発揮する。  
（１）車輪乗込面は、駐車装置の入出庫口のプラットホームに対して、段差のない状態で配置させることができる。したがって、車椅子を利用する人であっても、上記プラットホームと車輪乗込面との間を、何ら支障を生じることなく容易に移動することができるようにしたバリアフリーを達成することができる。  
（２）パレット左右幅方向の中央部については、鋼板を折り曲げて形成した中央上向き突出部により強度を確保することができる。一方、パレット左右幅方向の両側については、各車輪乗込面の外側端縁部にて鋼板を折り曲げて形成した各側部下向き突出部が設けてある部分では、該各側部下向き突出部により、又、各側部下向き突出部の切り欠きにドッグが取り付けてある部分では、該ドッグが強度部材として機能することにより、それぞれ車輪乗込面の強度を確保することができる。したがって、上記ドッグ以外の別の部材を要することなく車輪乗込面の強度を確保することができると共に、本発明のパレットを横送りするための手段を別に設ける必要はない。このため、本発明のパレットは、上記バリアフリーを達成した上で、構成部品の点数を削減することができ、製造時における部材同士の溶接作業を削減できて、製造に要する手間及び時間の削減化を図ることができると共に、自重の軽量化を図ることができる。  
（３）側部下向き突出部の切り欠きの一部にドッグを配置し、少なくとも上記側部下向き突出部の切り欠きにおけるドッグが配置されていない部分のパレット中央寄りとなる位置に、補強部材を配置して、該補強部材を車輪乗込面の下面に取り付けるようにした構成とすることにより、車両乗込面の外側をより確実に補強することができる。
【図面の簡単な説明】
【００１９】
【図１】本発明の駐車装置のパレットの実施の一形態を示す概略平面図である。
【図２】（ａ）は図１のＡ−Ａ方向矢視断面図、（ｂ）は図１のＢ−Ｂ方向矢視断面図である。
【図３】図１のパレットの概略側面図である。
【図４】本発明の実施の他の形態を示す概略平面図である。
【発明を実施するための形態】
【００２０】
以下、本発明を実施するための形態を図面を参照して説明する。
【００２１】
図１乃至図３は本発明の駐車装置のパレットの実施の一形態を示すものである。
【００２２】
すなわち、本発明の駐車装置のパレット（以下、単に、本発明のパレットという）は、図１乃至図３に符号１で示すもので、鋼板製としてあり、且つ従来のパレットと同様に、車両の平面形状に対応して前後方向が長辺となり且つ左右幅方向が短辺となる矩形の平面形状を有するものとしてある。
【００２３】
上記本発明のパレット１は、左右幅方向の中央部に、鋼板を上方に折り曲げて断面形状が台形状や矩形状となるようにした中央上向き突出部２が、前後方向に延びるように設けてある。
【００２４】
上記中央上向き突出部２の左右両側には、本発明のパレット１に搭載する図２（ａ）に二点鎖線で示す如き車両Ｃの車輪を乗り入れさせるための左右一対の車輪乗込面３ａ，３ｂが、前後方向の全長に亘り設けられている。
【００２５】
更に、上記本発明のパレット１の左右両端縁部となる上記各車輪乗込面３ａ，３ｂの外側の端縁部には、該本発明のパレット１を構成している鋼板を下方に折り曲げ、更にその下端をパレット幅方向中央側へ折り曲げて断面形状が鉤形になるように屈曲させた側部下向き突出部４ａ，４ｂが、それぞれ設けてある。
【００２６】
上記左右の各側部下向き突出部４ａと４ｂのうち、一方の側部下向き突出部４ａには、その前後方向の或る個所に、該側部下向き突出部４ａを部分的に切り欠いた切り欠き５が設けてある。
【００２７】
且つ上記切り欠き５には、前後方向に延び且つ下端側が開放された溝形構造のドッグ６を配置して、該ドッグ６の上端面を、全長に亘って、対応する一方の車輪乗込面３ａの外側端縁部の下面側に固定するようにしてある。
【００２８】
これにより、上記ドッグ６は、本発明のパレット１を横送りするときに、先ず、図示しない駐車装置側に装備されたパレット横送り装置の旋回アーム先端部の上側に設けてあるローラを、該ドッグ６の溝に前後方向の一端側から受け入れて係止させることができるようにしてある。その後、上記旋回アームを更に旋回させるときには、上記ドッグ６では、上記ローラを、該ドッグ６の溝の内側で前後方向にスライドさせることができるようにしてあり、該ドッグ６と一体の本発明のパレット１を、上記旋回アームの旋回中心側と外周側で双方向に横送りすることができるようにしてある。
【００２９】
更に、上記ドッグ６は、その上端面が、上記一方の車輪乗込面３ａの外側端縁部の下面側に取り付けてあるため、該ドッグ６の左右一対の鉛直な側壁７が、上記本発明のパレット１における上記一方の側部下向き突出部４ａに切り欠き５が設けられている部分に対して、強度部材となるウェブとして機能して該部分の補強を行なうことができるようにしてある。
【００３０】
ところで、上記ドッグ６は、上記したように図示しないパレット横送り装置の旋回アーム先端部のローラを、前後方向の一端側から該ドッグ６の溝に受け入れるために、該ドッグ６の前後方向の寸法を、上記切り欠き５の前後方向の寸法よりも短くなるよう設定して、該ドッグ６の前後方向の一端部と、対応する上記一方の側部下向き突出部４ａとの間に隙間８を設ける必要がある。
【００３１】
この点に鑑みて、本発明のパレット１は、上記一方の側部下向き突出部４ａの切り欠き５における上記ドッグ６が配置されていない上記隙間８の部分について、上記一方の車輪乗込面３ａの外側をより確実に補強するために、該一方の車輪乗込面３ａの下面における少なくとも上記隙間８の内側（パレット中央寄り）となる位置に、上記ドッグ６と干渉しない配置で前後方向に延びる補強部材９を取り付けた構成とすることが望ましい。図１では、上記補強部材９を、上記一方の側部下向き突出部４ａの切り欠き５の内側全体を覆う長さ寸法で前後方向に延びる形状とした場合が示してある。該補強部材９は、図２（ｂ）に示すように、角パイプ構造としてあり、その片側の側面を上記ドッグ６の内側に沿わせるように配置して、上記一方の車輪乗込面３ａの下面及びドッグ６に対してそれぞれ固定するようにしてある。
【００３２】
なお、上記ドッグ６及び補強部材９は、その底面（下端面）が、上記一方の側部下向き突出部４ａの下端と同一平面に配置されるようにしてある。
【００３３】
更に、上記各車輪乗込面３ａ，３ｂの下面側には、高さ位置調整部材１０が設けてある。該高さ位置調整部材１０は、その底面が、上記各側部下向き突出部４ａ，４ｂの下端と同一平面に配置されるようにしてあり、これにより、上記本発明のパレット１を、図示しない駐車装置の昇降装置の上面のような水平面に、上記各車輪乗込面３ａ，３ｂが水平となる姿勢で配置できるようにしてある。
【００３４】
１１は駐車位置の確認のために上記各車輪乗込面３ａ，３ｂに突設された車輪止めである。
【００３５】
以上の構成としてある本発明のパレット１によれば、各車輪乗込面３ａ，３ｂの外側には上方に突出する部分が無いため、該各車輪乗込面３ａ，３ｂを、図２（ａ）（ｂ）に一点鎖線で示す如き駐車装置の入出庫口のプラットホーム１２に対して、段差のない状態で配置させることができる。
【００３６】
したがって、上記本発明のパレット１では、車椅子を利用する人であっても、上記プラットホーム１２と車輪乗込面３ａ，３ｂとの間を、何ら支障を生じることなく容易に移動することができる。よって、本発明のパレット１によれば、バリアフリーを達成することができる。
【００３７】
又、本発明のパレット１は、幅方向の中央部については、上記中央上向き突出部２における上記各車輪乗込面３ａ，３ｂより鋼板が立ち上がる部分がウェブとなり、上記各車輪乗込面３ａ，３ｂと、上記中央上向き突出部２における水平部分が、異なる高さ位置に配置されたフランジとなる立体構造が形成されることで強度を確保できるようになる。
【００３８】
又、本発明のパレット１における左右幅方向の両側は、各車輪乗込面３ａ，３ｂの外側の端縁部において鋼板を折り曲げて形成した各側部下向き突出部４ａ，４ｂが設けてある部分では、該各側部下向き突出部４ａ，４ｂにおける上記各車輪乗込面３ａ，３ｂより鋼板が折れて下がる部分がウェブとなり、上記各車輪乗込面３ａ，３ｂと、上記各側部下向き突出部４ａ，４ｂにおける水平部分が、異なる高さ位置に配置されたフランジとなる立体構造が形成されることで、別の部材を要することなく各車輪乗込面３ａ，３ｂの強度を確保することができる。
【００３９】
更に、上記一方の側部下向き突出部４ａを切り欠いた部分については、パレット横送り装置を係止させるためのドッグ６が、強度部材としての機能を発揮するようになるため、該ドッグ６が取り付けてある部分では、別の部材を要することなく上記一方の車輪乗込面３ａの強度を確保することができると共に、本発明のパレット１を横送りするための手段を別に設ける必要はない。
【００４０】
よって、本発明のパレット１は、上記バリアフリーを達成した上で、構成部品の点数を削減することができるため、製造時における部材同士の溶接作業を削減できて、製造に要する手間及び時間の削減化を図ることができる。又、該本発明のパレット１は、自重の軽量化を図ることができる。
【００４１】
上記実施の形態においては、一方の車輪乗込面３ａの外側の端縁部に設けてある一方の側部下向き突出部４ａにのみ切り欠き５を設けて、該切り欠き５にドッグ６を取り付けた構成を示したが、図４に示すように、両方の車輪乗込面３ａ及び３ｂの外側端縁部の各側部下向き突出部４ａ及び４ｂに、切り欠き５をそれぞれ設けて、該各切り欠き５にドッグ６を取り付けてなる構成としてもよい。更に、この場合は、上記各車輪乗込面３ａ及び３ｂの下面において、少なくとも上記各側部下向き突出部４ａ，４ｂと、対応する上記各ドッグ６の前後方向の一端部との間に形成した隙間８の内側（パレット中央寄り）となる位置に、ドッグ６と干渉しない配置で前後方向に延びる補強部材９を取り付けた構成とすることが望ましい。なお、図４において、図１に示したものと同一のものには同一符号が付してある。
【００４２】
かかる構成としてある本発明のパレット１によっても、上記図１乃至図３の実施の形態と同様の効果を得ることができる。
【００４３】
なお、本発明は、上記実施の形態にのみ限定されるものではなく、ドッグ６の前後方向の配置は、図示しない駐車装置のパレット横送り装置の旋回アームの配置に応じて適宜変更してもよい。又、上記ドッグ６の前後方向の長さ寸法は、上記旋回アームの長さ寸法に応じて適宜変更してもよい。
【００４４】
上記側部下向き突出部４ａ，４ｂに設ける切り欠き５の位置及び前後方向の寸法は、上記ドッグ６の配置及び長さ寸法に応じて適宜変更してもよい。
【００４５】
ドッグ６の前後方向の一端部と、対応する上記側部下向き突出部４ａ，４ｂとの間に設ける隙間８の寸法は、上記図示しない駐車装置のパレット横送り装置の旋回アームの旋回半径等に応じて適宜変更してもよい。
【００４６】
上記隙間８の内側に配置して設ける補強部材９は、少なくとも該隙間８の内側の部分で車輪乗込面３ａ，３ｂを補強できるようにしてあれば、該補強部材９の前後方向の長さ寸法は適宜変更してもよい。又、該補強部材９は、図示した角パイプ構造以外の断面形状を備えた構成としてもよい。
【００４７】
更に、上記隙間８の内側には、上記補強部材９を設ける構成とすることが望ましいが、省略した構成としてもよい。
【００４８】
本発明のパレット１は、旋回アームの先端部に設けたローラを本発明のパレット１に設けてあるドッグ６に係止させる形式のパレット横送り装置を備えた機械式駐車装置であれば、エレベータパーキング以外の任意の形式の機械式駐車装置で使用してもよい。
【００４９】
その他本発明の要旨を逸脱しない範囲内で種々変更を加え得ることは勿論である。
【符号の説明】
【００５０】
１  パレット
２  中央上向き突出部
３ａ，３ｂ  車輪乗込面
４ａ，４ｂ  側部下向き突出部
５  切り欠き
６  ドッグ
９  補強部材
Ｃ  車両
【図１】
2014141793.tif 000003
【図２】
2014141793.tif 000004
【図３】
2014141793.tif 000005
【図４】
2014141793.tif 000006